(57)【要約】  カメラに対して被撮影者に常に適正な方向を向かせることができ、また撮影や通行の滞りが生じることもなく、被撮像者の顔をカメラに対して適正な方向を向かせるために、本発明の撮影制御装置は、人が検出されたことを受信する検出情報受信部２０１と、前記人が撮影に適した方向を向いているか否かの判定情報を受信する制御情報受信部２０１と、前記検出情報受信部２０１の受信に基づいて、前記人の注意を促すための提示情報の提示を指示する情報提示指示部１０３と、前記情報提示指示部が前記提示情報の提示を指示している間に前記人の撮影を指示する撮影指示部２０２とを備えた。
2008120380.tif 000002
【特許請求の範囲】
【請求項１】
人が検出されたことを受信する検出情報受信部と、
前記検出情報受信部の受信に基づいて、前記人の注意を促すための提示情報の提示を指示する情報提示指示部と、
前記情報提示指示部が前記提示情報の提示を指示している間に前記人の撮影を指示する撮影指示部と、
を有する撮影制御装置。
【請求項２】
請求の範囲１項に記載の撮影制御装置において、
前記人が撮影に適した方向を向いているか否かの判定情報を受信する判定情報受信部を有し、
前記撮影指示部は、前記判定情報受信部により受信した前記判定情報に基づいて前記撮影を指示することを特徴とする撮影制御装置。
【請求項３】
請求の範囲１項に記載の撮影制御装置において、
前記提示情報は、複数の提示パターンが所定の順番に選択され、或いは複数の提示パターンがランダムに選択されて提示されることを特徴とする撮影制御装置。
【請求項４】
請求の範囲１項に記載の撮影制御装置において、
前記提示情報は、前記人が提示する情報に基づいて、複数の提示情報から選択され提示されることを特徴とする撮影制御装置。
【請求項５】
請求の範囲１項に記載の撮影制御装置において、
前記提示情報は、光学的情報または音響的情報であることを特徴とする撮影制御装置。
【請求項６】
請求の範囲１項に記載の撮影制御装置において、
前記情報提示指示部は、撮影完了通知を受信するまで前記提示情報を提示するよう指示することを特徴とする撮影制御装置。
【請求項７】
請求の範囲１項に記載の撮影制御装置において、
前記情報提示指示部は、撮像に基づく識別完了通知を受信するまで前記提示情報を提示するよう指示することを特徴とする撮影制御装置。
【請求項８】
人が撮影範囲に存在することを検出する検出部と、
前記検出部による検出結果に基づいて、前記人に注意を促すための提示情報を提示する情報提示部と、
前記情報提示部の提示に基づいて前記人を撮影する撮影部と、
を有する撮影装置。
【請求項９】
請求の範囲８項に記載の撮影装置において、
前記人が撮影に適した方向を向いているか否かを判定する判定部を有し、
前記撮影部は、前記判定部の判定結果に基づいて前記人を撮影することを特徴とする撮影装置。
【請求項１０】
人が検出されたことを受信する検出情報受信段階と、
前記検出情報受信段階の受信に基づいて、前記人の注意を促すための提示情報の提示を指示する情報提示指示段階と、
前記情報提示指示段階により前記提示情報の提示を指示している間に前記人の撮影を指示する撮影指示段階と、
を有する撮影制御方法。
【請求項１１】
請求の範囲９項に記載の撮影制御方法において、
前記情報提示指示段階により前記提示情報の提示を指示した後、前記人が撮影に適した方向を向いているか否かの判定情報を受信する判定情報受信段階を有し、
前記撮影指示段階は、前記判定情報受信段階により受信した前記判定情報に基づいて前記撮影を指示することを特徴とする撮影制御方法。
【請求項１２】
請求の範囲９項に記載の撮影制御方法において、
前記情報提示指示段階は、撮影完了通知を受信するまで前記提示情報を提示するよう指示することを特徴とする撮影制御方法。
【請求項１３】
請求の範囲９項に記載の撮影制御方法において、
前記情報提示指示段階は、撮像に基づく識別完了通知を受信するまで前記提示情報を提示するよう指示することを特徴とする撮影制御方法。
【請求項１４】
請求の範囲９項に記載の撮影制御方法において、
前記提示情報は、複数の提示パターンが所定の順番に選択され、或いは複数の提示パターンがランダムに選択されて提示されることを特徴とする撮影制御方法。
【請求項１５】
請求の範囲９項に記載の撮影制御方法において、
前記提示情報は、前記人が提示する情報に基づいて、複数の提示情報から選択され提示されることを特徴とする撮影制御方法。
【請求項１６】
請求の範囲９項に記載の撮影制御方法において、
前記提示情報は、光学的情報または音響的情報であることを特徴とする撮影制御方法。
【請求項１７】
撮影制御をコンピュータに実行させる撮影制御プログラムであって、
人が検出されたことを受信する検出情報受信段階と、
前記検出情報受信段階の受信に基づいて、前記人の注意を促すための提示情報の提示を指示する情報提示指示段階と、
前記情報提示指示段階により前記提示情報の提示を指示している間に前記人の撮影を指示する撮影指示段階と、
をコンピュータに実行させる撮影制御プログラム。
【請求項１８】
請求の範囲１５項に記載の撮影制御プログラムにおいて、
前記情報提示指示段階により前記提示情報の提示を指示した後、前記人が撮影に適した方向を向いているか否かの判定情報を受信する判定情報受信段階を有し、
前記撮影指示段階は、前記判定情報受信段階により受信した前記判定情報に基づいて前記撮影を指示することを特徴とする撮影制御プログラム。
【請求項１９】
請求の範囲１５項に記載の撮影制御プログラムにおいて、
前記情報提示指示段階は、撮影完了通知を受信するまで前記提示情報を提示するよう指示することを特徴とする撮影制御プログラム。
【請求項２０】
請求の範囲１５項に記載の撮影制御プログラムにおいて、
前記情報提示指示段階は、撮像に基づく識別完了通知を受信するまで前記提示情報を提示するよう指示することを特徴とする撮影制御プログラム。
【発明の詳細な説明】
【技術分野】
【０００１】
本発明は、提示情報を提示することにより、被撮影者に注意を喚起し、その顔撮影を適正に且つ滞りなく行なう撮影制御装置、そのプログラム及び方法、撮影装置に関するものである。
【背景技術】
【０００２】
従来から、バイオメトリクス認証技術の一つとして、顔認証の技術が知られている。顔認証は他のバイオメトリクス認証に比べて利用者の心理的負担が少ないが、顔認証を適正に行うためには、被認証人である被撮影者の顔を撮影するカメラに対して、適正な方向に向かせる必要がある。そこで顔認証に適した方向の顔の映像を撮影する方法として、被撮影者に適正方向を向くよう案内するようにした方法が知られている（例えば特許文献１参照）。また、瞬間的な強い光による視覚的刺激が本能行動を誘発し、人に光源の方向を向かせること（鍵刺激）を利用して、撮影装置に備えたフラッシュライトを発光させることで、被撮影者をカメラの正面方向に向かせて顔を撮影するようにした方法が知られている（例えば特許文献２参照）。【０００３】
また、本発明の関連ある従来技術として、被撮影者の興味を惹くような音を鳴らすこと、または映像を表示することによって、被撮影者にカメラの方向を向かせる技術が知られている（例えば、特許文献３参照）。
【特許文献１】特開２００３−１４１５４１号公報
【特許文献２】特開２００５−９４７１０号公報
【特許文献３】特開２００５−１６４６２３号公報
【発明の開示】
【発明が解決しようとする課題】
【０００４】
しかしながら、特許文献１の技術では、被撮影者が自発的に認証行為等の顔撮影を行なっている場合には、被撮影者がディスプレイに表示される案内の通りに顔の向きを変えることを期待できるが、車載のサービスシステムなどで被撮影者に撮影されていることを意識させたくない場合や、監視用の撮影など被撮影者に案内に従うメリットが無い場合には、案内によって被撮影者に顔の向きを変えさせることは困難である。【０００５】
また、特許文献２の技術は、不審者に対して使用されることは有効と考えられるが、同じ被撮影者に対して繰り返して認証がなされるようなサービスシステムにおいては、顔認証が行なわれる度に被撮影者に強い光を浴びせなくてはならない。さらに、繰り返される同じ刺激に被撮影者がその刺激に慣れてしまうことによって、被撮影者が顔の向きを変えなくなってしまうという課題がある。【０００６】
また、特許文献３でも同様に、提示される情報に変化がなければ、被撮影者が慣れにより興味を示さなくなるため、提示させる情報を変化させるという工夫がなされなければならない。この場合、被撮影者に提示される情報としてビデオ映像などが考えられるが、被撮影者がビデオ映像を見続けることによって、その表情に変化が生じると、顔認証が正確に行えない。また、複数の被撮影者を対象とした顔認証システム（例えば駅の自動改札で顔認証が行なわれる場合など）においては、被撮影者が提示される情報に関心を持ち立ち止まってしまった場合、撮影や通行が滞ってしまう。【０００７】
本発明は上述した問題点を解決するためになされたものであり、カメラに対して被撮影者に適正な方向を向かせることができ、また撮影や通行の滞りが生じることもなく、被撮像者の顔をカメラに対して適正な方向を向かせることができる撮影制御装置、そのプログラム及び方法、撮影装置を提供することを目的とする。
【課題を解決するための手段】
【０００８】
上述した課題を解決するため、本発明は、人が検出されたことを受信する検出情報受信部と、前記検出情報受信部の受信に基づいて、前記人の注意を促すための提示情報の提示を指示する情報提示指示部と、前記情報提示指示部が前記提示情報の提示を指示している間に前記人の撮影を指示する撮影指示部とを備えたものである。【０００９】
また、本発明は、人が撮影範囲に存在することを検出する検出部と、前記検出部による検出結果に基づいて、前記人に注意を促すための提示情報を提示する情報提示部と、前記情報提示部の提示に基づいて前記人を撮影する撮影部とを備えたものである。【００１０】
また、本発明は、人が検出されたことを受信する検出情報受信段階と、前記検出情報受信段階の受信に基づいて、前記人の注意を促すための提示情報の提示を指示する情報提示指示段階と、前記情報提示指示段階により前記提示情報の提示を指示している間に前記人の撮影を指示する撮影指示段階とを実行するものである。【００１１】
また、本発明は、撮影制御をコンピュータに実行させる撮影制御プログラムであって、人が検出されたことを受信する検出情報受信段階と、前記検出情報受信段階の受信に基づいて、前記人の注意を促すための提示情報の提示を指示する情報提示指示段階と、前記情報提示指示段階により前記提示情報の提示を指示している間に前記人の撮影を指示する撮影指示段階とをコンピュータに実行させるものである。
【図面の簡単な説明】
【００１２】
【図１】実施の形態１の全体構成の一例を示すブロック図である。
【図２】実施の形態１の情報提示部が提示する情報の一例を示す図（その１）である。
【図３】実施の形態１の情報提示部が提示する情報の一例を示す図（その２）である。
【図４】実施の形態１の提示情報設定テーブルを示す図である。
【図５】実施の形態１における個人認証の撮像態様の一例を示す図である。
【図６】実施の形態１における複数認証の撮像態様の一例を示す図である。
【図７】実施の形態１の制御情報受信部の動作を示すフローチャートである。
【図８】実施の形態１の判定装置の動作を示すフローチャートである。
【図９】判定結果出力後に次の人の撮影が行なわれる場合の実施の形態１の判定装置の動作の一例を示すフローチャートである。
【図１０】実施の形態１の撮影指示部の動作を示すフローチャートである。
【図１１】実施の形態１の提示情報指示部の動作を示すフローチャートである。
【図１２】実施の形態１において提示情報が選択される際の全体動作を示すフローチャートである。
【図１３】実施の形態２の全体構成の一例を示すブロック図である。
【図１４】実施の形態３の全体構成の一例を示すブロック図である。
【図１５】実施の形態４の全体構成の一例を示すブロック図である。
【図１６】実施の形態４の提示情報受信部が保持する最新提示情報テーブルである。
【図１７】実施の形態４の情報提示指示部の動作を示すフローチャートである。
【図１８】実施の形態５の全体構成を示すブロック図である。
【図１９】実施の形態６の全体構成を示すブロック図である。
【発明を実施するための最良の形態】
【００１３】
以下、本発明の実施の形態について図面を参照しつつ説明する。【００１４】
実施の形態１．
まず、実施の形態１の撮影システムの全体構成について説明する。【００１５】
図１は実施の形態１の全体構成の一例を示すブロック図である。撮影システムは顔認証を行うための被認証人である被撮影者を撮像することができる撮影装置１０と、この撮影装置１０を制御する撮影制御装置２０と、被撮影者が撮影範囲内に存在することを検出するセンサ３０と、被撮影者の顔方向を判定する判定装置４０と、顔データを登録した顔データベース５０とを備える。【００１６】
撮影装置１０はカメラ１０１と情報提示部１０２を備える。【００１７】
撮影制御装置２０は制御情報受信部２０１、撮影指示部２０２、情報提示指示部２０３を備える。【００１８】
撮影装置１０のカメラ１０１はセンサ３０の検出範囲（撮影範囲）に存在する被撮影者を撮影する。撮影装置１０の情報提示部１０２は、被撮影者が興味を惹く情報を提示する。この情報提示部１０２は、カメラ１０１の撮影対象である被撮影者が該情報提示部１０２に対して顔を向けた場合、その方向が撮影に適した方向となるような位置に設置されている。【００１９】
撮影制御装置２０の制御情報受信部２０１はセンサ３０及び判定装置４０からの信号を受け、撮影指示部２０２及び情報提示指示部２０３に指示を出す。撮影制御装置２０の撮影指示部２０２は制御情報受信部２０１の指示を受け、カメラ１０１に撮影開始の指示、または撮影停止の指示を出し、カメラ１０１が撮影した映像を判定装置４０に送信する。撮影制御装置２０の情報提示指示部２０３は制御情報受信部２０１の指示を受け、情報提示部１０２に情報提示開始の指示、または情報提示停止の指示を出す。【００２０】
なお、情報提示指示部２０３は複数の提示情報を保持しており、提示情報を順番、またはランダムに選択し、選択された提示情報を情報提示部１０２に提示させる。この提示情報は被撮影者が短時間で認識でき、内容を把握できるものであれば光学情報であっても、音声情報であってもよい。【００２１】
センサ３０はカメラ１０１の撮影範囲内における人（被撮影者）の有無を検出する。そして、センサ３０は人を感知している場合は“有”信号を、人を感知していない場合は“無”信号を制御情報受信部２０１に送信する。なお、このセンサ３０は焦電センサ、圧力センサ、カード読取りセンサなど、人の有無を検出できるものであればいずれであってもよい。また、センサ３０は人の有無を検出する際に、例えばカードに付加された識別情報を読み取れるものであっても構わない。【００２２】
顔データベース５０はカメラ１０１が撮影した被撮影者の顔画像など、被撮影者を特定するための情報を照会用の顔データとして保存する。なお、この顔データは特定の顔を認証するためのデータであり、顔の特徴を数値化したものである。また、この顔データは予め認証のために登録されていてもよい。【００２３】
判定装置４０は被撮影者の顔が撮影に適した方向に向いているか否かを判定する。また、撮影した顔映像を顔データベース５０に保存された顔データと照らし合わせ、照合する。すなわち判定装置４０は顔認証装置としても機能することができる。【００２４】
図２、図３は実施の形態１の情報提示部１０２が提示する情報の一例を示す図である。【００２５】
図２において、情報提示部１０２は複数の発光部１０２ａからなるディスプレイを有しており、複数の発光部１０２ａそれぞれの発光制御によって、占いを表示している。このディスプレイによれば、複数の占い結果がランダムに表示され、または所定の順番で表示される。そして、カメラ１０１はこの情報提示部１０２の提示領域（ディスプレイ）のほぼ中央に配置されている。【００２６】
また、図３においては、情報提示部１０２は複数の発光部１０２ａがカメラ１０１を囲むように並べて配置され、これらが様々なパターンで点滅するように構成されている。このパターンもランダムに選ばれ、または所定の順番で選ばれる。なお、情報提示部１０２が提示するこれらの提示情報は情報提示指示部２０３が保持した情報内から複数選択されることができる。【００２７】
また、情報提示指示部２０３は図４に示す提示情報設定テーブルを保持している。図４において、ＩＤはセンサ（例えばカードリーダ）３０で読み取られた情報、または顔データに付加された情報であり、図４に示されるジャンルは選択された提示内容であり、提示パターンは選択されたジャンルの中から提示するものを選択する際に用いられるパターンである。このテーブルによれば、センサ３０によりＩＤ００００が読み取られた場合、ジャンル（提示情報の種類）１，２，３の中から１つのジャンルがランダムに選択され、選択された提示情報が情報提示部１０２に送信され提示される。【００２８】
なお、実施の形態１は個人認証、複数認証において利用されることを想定している。以下、実施の形態１における個人認証、複数認証について説明する。【００２９】
図５は実施の形態１における個人認証の一例を示す図であり、図６は実施の形態１における複数認証の一例を示す図である。【００３０】
図５に示すような個人認証は、例えば自動車の乗車者に対して認証を行なうことによって実現されるサービスシステム及び監視システムにおいて利用される。また、図６に示すような複数の被撮影者に対する認証は、例えば駅の改札などにカメラを設置し、被撮影者がゲートを通過する際に、ＩＣカードのような情報を保持する媒体がセンサによって読み込まれ、被撮影者の顔認証が行なわれるサービスシステム及び監視システムにおいて利用される。【００３１】
なお、図５において、提示情報及び提示情報の表示パターンは乗車者が設定する。また、図６においては、被撮影者が予め提示情報及び提示情報またはその種別を設定し、ＩＣカードのような情報が書き込まれた媒体にそれぞれの被撮影者を特定するＩＤが付加され、ＩＤがセンサ３０に読み取られることによって、情報提示指示部２０３により設定された所定の種別の提示情報が提示されるようにすることができる。また、被撮影者を特定するＩＤに基づき、その年齢、性別、職業などにより、提示情報を提示情報指示部が予め設定された情報を選択して提示するようにしてもよい。【００３２】
次に、実施の形態１の制御情報受信部の動作について説明する。【００３３】
図７は、実施の形態１の制御情報受信部の動作を示すフローチャートである。なお、この図において、制御情報受信部２０１内の現在カメラ１０１が撮影をしている “ＯＮ”、または撮影をしていない“ＯＦＦ”を示す撮影フラグは初期状態では“ＯＦＦ”になっている。また、センサ３０は被撮影者が撮影可能範囲内にいる場合は“有”、いない場合は“無”信号を出力する。【００３４】
まず、制御情報受信部２０１がセンサ３０から信号を受信し（Ｓ１０１）、制御情報受信部２０１はセンサ３０から“有”信号を受信したかどうかを判断する（Ｓ１０２）。【００３５】
ステップＳ１０２の判断において、制御情報受信部２０１が“有”信号を受信した場合（Ｓ１０２，ＹＥＳ）、制御情報受信部２０１は撮影フラグが“ＯＮ”になっているかどうかを判断する（Ｓ１０３）。【００３６】
ステップＳ１０３の判断において、撮影フラグが“ＯＦＦ”の場合（Ｓ１０３，ＮＯ）、制御情報受信部２０１は情報提示指示部２０３に対して情報提示開始信号を送信し（Ｓ１０４）、撮影指示部２０２に対して撮影開始信号を送信し（Ｓ１０５）、撮影フラグを“ＯＮ”にし（Ｓ１０６）、ステップＳ１０１に戻る。【００３７】
一方、ステップＳ１０３の判断において、撮影フラグが“ＯＮ”の場合（Ｓ１０３，ＹＥＳ）、制御情報受信部２０１は撮影指示部２０２に対して撮影停止信号を送信し（Ｓ１０７）、情報提示指示部２０３に対して情報提示停止信号を送信し（Ｓ１０８）、ステップＳ１０１に戻る。【００３８】
また、ステップＳ１０２の判断において、制御情報受信部２０１が“無”信号を受信する場合（Ｓ１０２，ＮＯ）、制御情報受信部２０１は撮影指示部２０２に対して撮影停止信号を送信し（Ｓ１０９）、情報提示指示部２０３に対して情報提示停止信号を送信し（Ｓ１１０）、撮影フラグを“ＯＦＦ”にする（Ｓ１１１）。【００３９】
なお、このフローチャートにおいて、ステップＳ１０３，ＮＯは撮影、情報提示が停止中の状態で、これから制御情報受信部２０１が撮影、情報提示を開始させる場合を示している。また、ステップＳ１０３，ＹＥＳおよびステップＳ１０２，ＮＯは撮影、情報提示が完了した状態で、制御情報受信部２０１が撮影、情報提示を停止させる場合を示している。また、ステップＳ１０３の動作によって、センサ３０の前に人が居続けたとしても制御情報受信部２０１は撮影、情報提示を停止させることができ、同一人物に対しての重複した撮影は行なわれない。また、図７に示す動作がループすることにより、例えば駅の改札口のような場所で連続して人を認証するような複数認証においても、撮影制御部２０は撮影装置１０に連続で人を撮影させることができる。【００４０】
次に、実施の形態１の判定装置の動作について説明する。【００４１】
図８は、実施の形態１の判定装置の動作を示すフローチャートである。【００４２】
まず、判定装置４０は撮影指示部２０２からの指示に基づいて撮影指示部２０２を介してカメラ１０１から映像の入力があるか否かを判断する（Ｓ５０１）。【００４３】
ステップＳ５０１の判断において、映像の入力がある場合（Ｓ５０１）、判定装置４０は入力された映像に映る被撮影者の顔の向きが範囲内であるか否かを判断する（Ｓ５０２）。【００４４】
ステップＳ５０２の判断において、被撮影者の顔の向きが所定の範囲内（適正範囲）である場合（Ｓ５０２，ＹＥＳ）、判定装置４０は撮影完了情報を制御情報受信部２０１へ送信し（Ｓ５０３）、映像の入力があるか否かの判断を再度行なう（Ｓ５０１）と共に、入力された映像を顔データベース５０内のデータと照合し（Ｓ５０４）、判定（識別）結果を出力する（Ｓ５０５）。【００４５】
一方、ステップＳ５０２の判断において、入力された映像における被撮影者の顔の向きが範囲内でない場合（Ｓ５０２，ＮＯ）、及びステップＳ５０１の判断において、撮影指示部２０２から映像の入力がない場合（Ｓ５０１，ＮＯ）は、同様の動作を繰り返す。【００４６】
以上、図８の動作では撮影完了後に判定装置４０が照合を行い、その照合結果を出力する場合の動作を示している。【００４７】
図９は、判定（識別）結果出力後に撮影完了情報を出力する判定装置の動作を示すフローチャートである。ステップＳ５０１、ステップＳ５０２，ＮＯの動作については図８と同様であるためここでの説明を省略し、ステップＳ５０２，ＹＥＳ以降の動作を説明する。【００４８】
ステップＳ５０２の判断において、被撮影者の顔の向きが範囲内である場合（Ｓ５０２，ＹＥＳ）、判定装置４０は入力された映像を顔データベース５０内のデータと照合し（Ｓ５０３ａ）、判定（識別）結果を出力し（Ｓ５０４ａ）、撮影完了情報を制御情報受信部２０１へ送信し（Ｓ５０５ａ）、ステップＳ５０１に戻る。【００４９】
次に、実施の形態１の撮影指示部の動作について説明する。【００５０】
図１０は、実施の形態１の撮影指示部の動作を示すフローチャートである。【００５１】
まず、撮影指示部２０２は制御情報受信部２０１から撮影開始信号を受信したかどうかを判断する（Ｓ２０１）。【００５２】
ステップＳ２０１において、撮影指示部２０２が撮影開始信号を受信した場合（Ｓ２０１，ＹＥＳ）、撮影指示部２０２はカメラ１０１に撮影を指示し（Ｓ２０２）、撮影した映像を判定装置４０へ送信し（Ｓ２０３）、停止信号を受信したかどうかを判断する（Ｓ２０４）。【００５３】
ステップＳ２０４において、撮影指示部２０２が撮影停止信号を受信した場合（Ｓ２０４，ＹＥＳ）、撮影指示部２０２はカメラ１０１に撮影を停止させ（Ｓ２０５）、ステップＳ２０１に戻る。【００５４】
一方、撮影指示部２０２が撮影停止信号を受信していない場合（Ｓ２０４，ＮＯ）、撮影指示部２０２はカメラ１０１に撮影を続行させる（Ｓ２０２）。【００５５】
なお、ステップ２０１の判断において、撮影指示部２０２が撮影開始信号を受信していない場合（Ｓ２０１，ＮＯ）、撮影指示部２０２は同様の動作を繰り返す（Ｓ２０１）。【００５６】
次に、実施の形態１の情報提示指示部の動作について図１１のフローチャートを用いて説明する。【００５７】
まず、情報提示指示部２０３は情報提示装置１０２に情報提示を停止させた状態において（Ｓ３０１）、制御情報受信部２０１から提示開始信号を受信したかを判断する（Ｓ３０２）。【００５８】
ステップＳ３０２の判断において、情報提示指示部２０３が提示開始信号を受信した場合（Ｓ３０２，ＹＥＳ）、情報提示指示部２０３は自己の保持する情報提示フラグを“ＯＦＦ”にし（Ｓ３０３）、情報提示フラグが“ＯＮ”であるか否かを判断する（Ｓ３０４）。【００５９】
ステップＳ３０４の判断において、情報提示フラグが“ＯＦＦ”の場合（Ｓ３０４，ＮＯ）、情報提示指示部２０３は情報提示フラグを“ＯＮ”にし（Ｓ３０５）、自己の保持する複数の提示情報から所定の順番、またはランダムに提示内容を選択し（Ｓ３０６）、選択した提示情報を情報提示部１０２に提示させる（Ｓ３０７）。さらに、情報提示指示部２０３は停止信号を受信したか否かを判断する（Ｓ３０８）。【００６０】
ステップＳ３０８の判断において、情報提示指示部２０３が停止信号を受信した場合（Ｓ３０８，ＹＥＳ）、情報提示指示部２０３は情報提示部１０２に情報提示を停止させる（Ｓ３０１）。【００６１】
一方、ステップＳ３０８の判断において、情報提示指示部２０３が停止信号を受信していない場合（Ｓ３０８，ＮＯ）、情報提示指示部２０３は情報提示フラグが“ＯＮ”であるか否かを判断する（Ｓ３０４）。【００６２】
また、ステップＳ３０４において、情報提示フラグが“ＯＮ”の場合（Ｓ３０４，ＹＥＳ）、情報提示指示部２０３は停止信号を受信したか否かを判断する（Ｓ３０８）。【００６３】
また、ステップＳ３０２において、情報提示指示部２０３が制御情報受信部２０１から提示開始信号を受信していない場合（Ｓ３０２，ＮＯ）、情報提示指示部２０３は情報提示装置１０２に情報提示を停止させたままにする（Ｓ３０１）。【００６４】
次に、撮影制御装置が提示内容を選択する際の動作について説明する。【００６５】
図１２は実施の形態１において提示情報が選択される際の全体動作を示すフローチャートである。なお、この図において、個人を識別する情報をセンサ３０が読み取るような場合、ＩＤはセンサ３０によって読み取られた付加情報とする。また、撮影制御装置２０が特定の利用者を対象としている場合は、ＩＤは表示パターンを選択するために予め設定された情報とする。【００６６】
まず、制御情報受信部２０１はセンサ３０から信号が入力されると（Ｓ４０１，ＹＥＳ）、情報提示指示部２０３へＩＤを送信する（Ｓ４０２）。なお、ステップＳ４０２において、情報提示指示部２０３は利用者によって予め設定された情報をＩＤとして送信してもよい。【００６７】
ＩＤを受信した情報提示指示部２０３は提示情報設定テーブルを参照し、ＩＤから提示パターンを決定し（Ｓ４０３）、提示パターンと設定されたジャンルから提示情報を決定し（Ｓ４０４）、情報提示部１０２へ提示内容を送信する（Ｓ４０５）。【００６８】
提示内容を受信した情報提示部１０２は情報を提示し、カメラ１０１は撮影を開始する（Ｓ４０６）【００６９】
所定の時間が経過、または撮影、あるいは撮影と共に識別が完了すると、制御情報受信部２０１は撮影指示部２０２と情報提示指示部２０３に停止情報を送信し（Ｓ４０７）、撮影指示部２０２はカメラ１０１に撮影を停止させ、情報提示指示部２０３は情報提示部１０２に提示を停止させ（Ｓ４０８）、ステップＳ４０１に戻る。【００７０】
実施の形態２．
実施の形態１では、判定装置４０と顔データベース５０を撮影制御装置２０の外部に設けたが、実施の形態２として、図１３に示されるように、これらは撮影制御装置内に設けられるようにしても良い。【００７１】
すなわち、実施の形態２では、判定装置４０の代わりに撮影制御装置２０内に判定装置４０と同等の機能を持つ判定部２０４、顔データベース５０を備えることが実施の形態１とは異なる。そして、動作においては実施の形態１で判定装置４０が行なっていた動作を実施の形態２では判定部２０４が行なうことが実施の形態１とは異なる。【００７２】
実施の形態３．
図１４は実施の形態３の全体構成の一例を示すブロック図である。【００７３】
実施の形態３では、映像記録部２０５が新たに設けられていることが実施の形態２とは異なる。この映像記録部２０５は撮影指示部２０２から送られた映像を保存する。なお、映像を保存するか否かは顔認識を行なう際に判定部２０４が判断する。【００７４】
また、動作において、図８のステップＳ５０５、図９のステップＳ５０４ａにおいて、判定部２０４が顔認証の判定結果を出力すると共に、映像記録部２０５へ送信された映像を映像記録部２０５に保存させるか否かの判断をすることが実施の形態２とは異なる。また、図１０のステップＳ２０３において、撮影指示部２０５が判定部２０４及び映像記録部２０５へ映像を送信することが実施の形態２と異なる。【００７５】
なお、判定部２０４は被撮影者が顔データベースに登録されている場合は映像記録部２０５に保存をせず、顔データベースに登録されていない場合のみ映像記録部２０５に映像を保存する。否登録者の映像が映像記録部２０５に保存されることにより、例えば否登録者が登録者になりすまし、顔認証を行なおうとした場合、この否登録者を特定することができる。また、判定部２０４による保存の要否の判断基準は予め設定されていてもよいし、自由に設定できるようになっていても構わない。【００７６】
実施の形態４．
図１５は実施の形態４の全体構成の一例を示すブロック図である。【００７７】
実施の形態４では、提示情報受信部２０６が新たに設けられることが実施の形態１とは異なる。提示情報受信部２０６はネットワークと接続され、天気予報、交通情報、為替相場、オークションの現在価格、スポーツ試合状況など、短時間で被撮影者が認識できる最新の情報をネットワークを通じてダウンロードし、情報提示指示部２０３に送信する。提示情報を外部から読み込むことで、占いや点滅パターンなどの予め登録され表示パターンに限りがある提示情報だけでなく、より幅広い情報を提示することによって被撮影者の興味を惹くことができる。【００７８】
図１６は実施の形態４の提示情報受信部が保持する最新提示情報テーブルである。【００７９】
提示情報受信部２０６はダウンロードした情報、更新日時、ダウンロードした情報が該当するジャンルを図１６に示すように対応付けて保持する。なお、提示情報受信部２０６に入力される情報は、利用者または管理者によって入力されても構わない。【００８０】
動作においては情報提示指示部２０３が提示情報受信部２０６からの入力を常に受け付けていることが実施の形態１とは異なる。【００８１】
図１７は実施の形態４の情報提示指示部の動作を示すフローチャートである。【００８２】
まず、情報提示指示部２０３は情報提示装置１０２に情報提示を停止させた状態において（Ｓ６０１）、提示情報受信部２０６から提示情報を取得する（Ｓ６０２）。情報提示指示部２０３は制御情報受信部２０１から開始信号を受信すると、（Ｓ６０３，ＹＥＳ）、情報提示指示部２０３は自己の保持する情報提示フラグを“ＯＦＦ”にし（Ｓ６０４）、情報提示フラグが“ＯＮ”であるか否かを判断する（Ｓ６０５）。【００８３】
ステップＳ６０５の判断において、情報提示フラグが“ＯＦＦ”の場合（Ｓ６０５，ＮＯ）、情報提示指示部２０３は情報提示フラグを“ＯＮ”にし（Ｓ６０６）、提示情報受信部２０６から取得した提示情報を含む自己の保持する複数の提示情報から所定の順番、またはランダムに提示情報を選択し（Ｓ６０７）、選択した提示情報を情報提示部１０２に提示させる（Ｓ６０８）。さらに、情報提示指示部２０３は停止信号を受信したか否かを判断する（Ｓ６０９）。【００８４】
なお、情報提示指示部は、実施の形態１で説明したように、被撮影者のＩＤが得られる場合は、該ＩＤに基づき、その年齢、性別、職業などにより、提示情報を選択するようにすることができる。またこの場合、ＩＤに基づいてジャンルごとに提示優先順位を設けるようにすることもできる。例えば、３０〜５０代の職業を有する被撮影者には１）株価、２）天気情報の順で提示する。【００８５】
ステップＳ６０９の判断において、情報提示指示部２０３が停止信号を受信した場合（Ｓ６０９，ＹＥＳ）、情報提示指示部２０３は情報提示部１０２に情報提示を停止させる（Ｓ６０１）。【００８６】
一方、情報提示指示部２０３が停止信号を受信していない場合（Ｓ６０９，ＮＯ）、ステップＳ６０５に戻る。【００８７】
また、ステップＳ６０５において、情報提示フラグが“ＯＮ”の場合（Ｓ６０５，ＹＥＳ）は、ステップＳ６０９に進む。【００８８】
実施の形態５．
図１８は実施の形態５の全体構成を示すブロック図である。【００８９】
実施の形態５では、実施の形態４に対してさらに顔データベース５０と判定部２０４を撮影制御装置２０内に設けるようにしたものである。【００９０】
なお、実施の形態５の動作は、情報提示指示部２０３と提示情報受信部２０６の動作は実施の形態４と同様であり、情報提示指示部２０３と提示情報受信部２０６以外の動作は実施の形態２と同様である。【００９１】
実施の形態６．
図１９は実施の形態６の全体構成を示すブロック図である。【００９２】
実施の形態６では、実施の形態５に対してさらに映像記録部２０５を撮影制御装置２０内に設けるようにしたものである。【００９３】
なお、実施の形態６の動作は、情報提示指示部２０３と提示情報受信部２０６の動作は実施の形態４と同様であり、情報提示指示部２０３と提示情報受信部２０６以外の動作は実施の形態３と同様である。【００９４】
以上に詳述した本発明の実施の形態において、本発明の検出部は、実施の形態におけるセンサ３０に対応する。また、本発明の撮影部は、実施の形態におけるカメラ１０１に対応する。また、本発明の検出情報受信部及び判定情報受信部は、実施の形態における制御情報受信部２０１に対応する。また、本発明の検出情報受信段階は、実施の形態における処理Ｓ１０２，ＹＥＳに対応する。また、本発明の情報提示指示段階は、実施の形態における処理Ｓ１０５に対応する。また、本発明の撮影指示段階は、実施の形態における処理Ｓ１０４に対応する。また、本発明の判定情報受信段階は、実施の形態における処理Ｓ５０２に対応する。【００９５】
なお、本実施の形態で図示したフローチャートやステップに示された各動作をコンピュータにより実行させるプログラムを提供することにより、本発明の撮影制御プログラムを提供することができる。これらプログラムはコンピュータにより読取可能な媒体に記録されてコンピュータにより実行させることができる。コンピュータは、パーソナルコンピュータのようなホスト装置、試験装置のコントローラ、記憶装置のＭＰＵやＣＰＵのようなコントローラなどを含む。ここで、コンピュータにより読取可能な媒体としては、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【産業上の利用可能性】
【００９６】
以上説明したように、本発明によれば、カメラに対して被撮影者に適正な方向を向かせることができ、また撮影や通行の滞りが生じることもなく、被撮像者の顔をカメラに対して適正な方向を向かせることができる。
【図１】
2008120380.tif 000003
【図２】
2008120380.tif 000004
【図３】
2008120380.tif 000005
【図４】
2008120380.tif 000006
【図５】
2008120380.tif 000007
【図６】
2008120380.tif 000008
【図７】
2008120380.tif 000009
【図８】
2008120380.tif 000010
【図９】
2008120380.tif 000011
【図１０】
2008120380.tif 000012
【図１１】
2008120380.tif 000013
【図１２】
2008120380.tif 000014
【図１３】
2008120380.tif 000015
【図１４】
2008120380.tif 000016
【図１５】
2008120380.tif 000017
【図１６】
2008120380.tif 000018
【図１７】
2008120380.tif 000019
【図１８】
2008120380.tif 000020
【図１９】
2008120380.tif 000021
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
人が検出されたことを受信する検出情報受信部と、
前記検出情報受信部の受信に基づいて、前記人の注意を促すための提示情報の提示を指示する情報提示指示部と、
前記情報提示指示部が前記提示情報の提示を指示している間に前記人の撮影を指示する撮影指示部とを有し、
前記提示情報は、前記人が提示する情報に基づいて、複数の提示情報から選択され提示されることを特徴とする撮影制御装置。
【請求項２】
請求項１に記載の撮影制御装置において、
前記情報提示指示部は、撮影完了通知を受信するまで前記提示情報を提示するよう指示することを特徴とする撮影制御装置。
【請求項３】
人が撮影範囲に存在することを検出する検出部と、
前記検出部による検出結果に基づいて、前記人に注意を促すための提示情報を提示する情報提示部と、
前記情報提示部の提示に基づいて前記人を撮影する撮影部とを有し、
前記提示情報は、前記人が提示する情報に基づいて、複数の提示情報から選択され提示されることを特徴とする撮影装置。
【請求項４】
請求項３に記載の撮影装置において、
前記人が撮影に適した方向を向いているか否かを判定する判定部を有し、
前記撮影部は、前記判定部の判定結果に基づいて前記人を撮影することを特徴とする撮影装置。
【請求項５】
人が検出されたことを受信する検出情報受信段階と、
前記検出情報受信段階の受信に基づいて、前記人の注意を促すための提示情報の提示を指示する情報提示指示段階と、
前記情報提示指示段階により前記提示情報の提示を指示している間に前記人の撮影を指示する撮影指示段階とを有し、
前記提示情報は、前記人が提示する情報に基づいて、複数の提示情報から選択され提示されることを特徴とする撮影制御方法。
【請求項６】
撮影制御をコンピュータに実行させる撮影制御プログラムであって、
人が検出されたことを受信する検出情報受信段階と、
前記検出情報受信段階の受信に基づいて、前記人の注意を促すための提示情報の提示を指示する情報提示指示段階と、
前記情報提示指示段階により前記提示情報の提示を指示している間に前記人の撮影を指示する撮影指示段階とを有し、
前記提示情報は、前記人が提示する情報に基づいて、複数の提示情報から選択され提示されることを特徴とする撮影制御プログラム。
【国際調査報告】
2008120380.tif 000022
2008120380.tif 000023